(57)【要約】【課題】装置の小型化を図ることができ、しかも装置内部へのごみなどの異物の侵入を防止することができるスイッチ装置を提供すること。【解決手段】上ケース１３の筒状部１３ａは、その上端部が開口しており、切片操作体１５を回動可能に軸支する。筒状部１３ａは、互いに対向する一対の第１壁２１と、この第１壁２１と連接し、互いに対向する一対の第２壁２２とを有する。第１壁２１の略中央の上端部２１ａは、第２壁２２の上端部２２ａよりも上方に位置しており、切片操作体１５を回動可能に軸支する穴部２１ｂが形成されている。操作体本体１５ａは、それぞれの第２壁２２側に延在する突出部１５ｅを有する。この突出部１５ｅは、回動中心Ｘを中心とする略円弧状の形状を有する。【選択図】図３
2006202651.tif 000002
【特許請求の範囲】
【請求項１】
外部機器と電気的に接続される固定接点を配置した第１ケース部材と、前記第１ケース部材に取り付けられ、端部が開口している筒状部を有する第２ケース部材と、前記第１ケース部材と前記第２ケース部材とで構成する空間内に移動可能に収容され、移動することにより前記固定接点と接触する接点を有する可動切片と、前記第２ケース部材の前記筒状部に内挿された状態で前記筒状部に回動可能に取り付けられ、該回動動作により前記固定接点と前記可動切片とを択一的に電気的に接続／切断させる切片操作部材と、を具備し、前記筒状部は、互いに対向して前記切片操作部材を回動可能に軸支する一対の第１壁と、前記第１壁と連接し、互いに対向する一対の第２壁と、を有し、前記切片操作部材を軸支する回動中心の位置が前記第２壁の端部よりも上方であり、前記切片操作部材は、前記第２壁側に延在する前記回動中心を中心とする略円弧状の突出部を有することを特徴とするスイッチ装置。
【請求項２】
前記突出部が前記第２壁の端部と前記回動中心との間に位置することを特徴とする請求項１記載のスイッチ装置。
【請求項３】
前記第２壁の端部は、前記突出部の曲率半径と略同じ曲率半径を有する湾曲面を前記突出部と対向する位置に有することを特徴とする請求項１又は請求項２記載のスイッチ装置。
【請求項４】
前記突出部は、前記第２壁の内側の端部よりも外側に延在するように設けられていることを特徴とする請求項１から請求項３のいずれかに記載のスイッチ装置。
【発明の詳細な説明】
【技術分野】
【０００１】
本発明はスイッチ装置に関し、特にモータ駆動用のスイッチ装置に関する。
【背景技術】
【０００２】
スイッチ装置は、その用途により種々のタイプのものが製造されているが、このうち主として車載用のアンテナ昇降装置やパワーウィンドウなどのモータ駆動用のスイッチ装置としては、図５に示す構成のものがある。図５は、従来のスイッチ装置の構成を示す正面図である。
【０００３】
図５に示すスイッチ装置は、外部機器と電気的に接続する端子１０２ａ，１０２ｂが取り付けられた下ケース１０１と、この下ケース１０１に揺動可能に収容された可動切片１０４と、可動切片１０４を操作する切片操作体１０５と、下ケース１０１と着脱可能に取り付けられ、切片操作体１０５を挿通する開口部を有する上ケース１０３と、切片操作体１０５と一体化し、上ケース１０３の開口部を覆う操作つまみ１０６とから主に構成されている。このスイッチ装置においては、操作つまみ１０６を矢印方向に動かすことにより、切片操作体１０５が矢印方向に動く。このとき、その動きにしたがって切片操作体１０５の先端１０５ａが可動切片１０４上を摺動し、接点１０４ａが端子１０２ａと電気的に接続するか、接点１０４ｂが端子１０２ｂと電気的に接続する（特許文献１）。
【０００４】
【特許文献１】実公平６−２１８０号公報
【発明の開示】
【発明が解決しようとする課題】
【０００５】
図５に示す従来のスイッチ装置においては、上ケース１０３の開口部に立壁１０３ａを設け、操作つまみ１０６における上ケース１０３との接している部分に、立壁１０３ａを覆うようにスカート部１０６ａが設けられている。このスカート部１０６ａにより、上ケース１０３の立壁１０３ａと切片操作体１０５との間の隙間１０７にごみなどの異物が侵入することを防止している。しかしながら、図５に示すスイッチ装置においては、回動中心Ｙを中心に切片操作体１０５を傾倒させた状態でも立壁１０３ａを覆うようにするためには、中立位置（傾倒させない状態）でも立壁１０３ａの外側にまでスカート部１０６ａを張り出させる必要があり、この張り出し部分のためにスイッチ装置の小型化を図ることができない。
【０００６】
本発明はかかる点に鑑みてなされたものであり、装置の小型化を図ることができ、しかも装置内部へのごみなどの異物の侵入を防止することができるスイッチ装置を提供することを目的とする。
【課題を解決するための手段】
【０００７】
本発明のスイッチ装置は、外部機器と電気的に接続される固定接点を配置した第１ケース部材と、前記第１ケース部材に取り付けられ、端部が開口している筒状部を有する第２ケース部材と、前記第１ケース部材と前記第２ケース部材とで構成する空間内に移動可能に収容され、移動することにより前記固定接点と接触する接点を有する可動切片と、前記第２ケース部材の前記筒状部に内挿された状態で前記筒状部に回動可能に取り付けられ、該回動動作により前記固定接点と前記可動切片とを択一的に電気的に接続／切断させる切片操作部材と、を具備し、前記筒状部は、互いに対向して前記切片操作部材を回動可能に軸支する一対の第１壁と、前記第１壁と連接し、互いに対向する一対の第２壁と、を有し、前記切片操作部材を軸支する回動中心の位置が前記第２壁の端部よりも上方であり、前記切片操作部材は、前記第２壁側に延在する前記回動中心を中心とする略円弧状の突出部を有することを特徴とする。
【０００８】
この構成によれば、切片操作部材を軸支する回動中心の位置が第２壁の端部よりも上方であり、切片操作部材が、回動中心を中心とする略円弧状の形状を有する突出部を有する。この突出部は、回動中心の同心円の円弧を有するので、筒状部の第２壁に衝突することがなく、切片操作部材の傾倒をスムーズに行うことができる。しかも、回動中心の同心円の円弧を有することにより、突出部と第２壁の端部との間隔が一定となるので、中立位置、傾倒位置のいずれにおいても同様にごみなどの異物の侵入を防止することができる。
【０００９】
本発明のスイッチ装置においては、前記突出部が前記第２壁の端部と前記回動中心との間に位置することが好ましい。
【００１０】
本発明のスイッチ装置においては、前記第２壁の端部は、前記突出部の曲率半径と略同じ曲率半径を有する湾曲面を前記突出部と対向する位置に有することが好ましい。
【００１１】
この構成によれば、第２壁の端部と突出部との間のクリアランスを小さく設定することができ、また、その小さなクリアランスの長さを長くできるので、筒状部内部へのごみなどの異物の侵入をより効果的に防止することができる。
【００１２】
本発明のスイッチ装置においては、前記突出部は、前記第２壁の内側の端部よりも外側に延在するように設けられていることが好ましい。
【００１３】
この構成によれば、筒状部の開口よりも大きな外径を有する突出部を形成することができ、これにより、第２壁の端部と切片操作部材との間の隙間の上方を突出部の略円弧状の部分で覆うことができ、筒状部内への異物の侵入を確実に防止することができる。
【発明の効果】
【００１４】
本発明のスイッチ装置においては、第２ケース部材の筒状部が、可動切片を操作する切片操作部材を回動可能に軸支する一対の第１壁と、第１壁と連接し、互いに対向する一対の第２壁と、を有し、切片操作部材を軸支する回動中心の位置が第２壁の端部よりも上方であり、切片操作部材は、第２壁側に延在する回動中心を中心とする略円弧状の突出部を有するので、装置の小型化を図ることができ、しかも装置内部へのごみなどの異物の侵入を防止することができる。
【発明を実施するための最良の形態】
【００１５】
本発明者は、可動切片を操作する切片操作部材を傾倒させる際の回動中心と、切片操作部材を挿通させる上ケースの壁との間の位置関係に着目し、切片操作部材を軸支しない壁の先端よりも回動中心を高くし、しかも切片操作部材に回動中心と同心円の円弧を有する突出部を設けることにより、装置の小型化を図ることができ、しかも装置内部へのごみなどの異物の侵入を防止することができることを見出し本発明をするに至った。
【００１６】
以下、本発明の実施の形態について添付図面を参照して詳細に説明する。本実施の形態においては、車載用パワーウィンドウのモータ駆動用のスイッチ装置について説明する。図１は、本発明の実施の形態に係るスイッチ装置の構成を示す正面図である。図２は、図１に示すスイッチ装置の分解斜視図である。図３は、図１に示すスイッチ装置の一部を示す拡大図である。まず、図１から図３を用いて本実施の形態に係るスイッチ装置の構成について説明する。
【００１７】
図１に示すスイッチ装置１は、第１端子１１ａ〜第３端子１１ｃが取り付けられた第１ケース部材である下ケース１２と、この下ケース１２と着脱可能に取り付けられた第２ケース部材である上ケース１３と、上ケース１３の筒状部１３ａに内挿された状態で回動可能に取り付けられ、第１端子１１ａ、第３端子１１ｃと電気的に接触するように下ケース１２上に配置された可動切片１４を操作する切片操作体１５と、切片操作体１５上に被せられた操作つまみ１６とから主に構成されている。
【００１８】
下ケース１２は、図２に示すように、上方が開口した略直方体形状を有しており、それぞれ可動切片１４を収容する２つの切片収容領域１２ａ，１２ｂを有する。それぞれの切片収容領域１２ａ，１２ｂの底部には、それぞれ第１端子１１ａ，第２端子１１ｂ，第３端子１１ｃが取り付けられている。これらの第１端子１１ａ〜第３端子１１ｃは、それぞれ下ケース１２の側壁１２ｃから延出しており、外部機器と電気的に接続可能になっている。また、第１端子１１ａ及び第３端子１１ｃの切片収容領域１２ａ，１２ｂにおいて露出された部分には、それぞれ可動切片１４のフランジ部１４ａ，１４ｂと電気的に接続する接点１７，１８が設けられている。なお、切片収容領域１２ａ，１２ｂにおけるそれぞれの第１端子１１ａ及び第３端子１１ｃは、下ケース１２の中心に対して１８０度回転した位置（点対称の位置）に設けられる。すなわち、図１において、図面に表示された切片収容領域１２ａでは、左から第１端子１１ａ，第２端子１１ｂ，第３端子１１ｃの順に配置され、図面に表示されない切片収容領域１２ｂでは、左から第３端子１１ｃ，第２端子１１ｂ，第１端子１１ａの順に配置される。
【００１９】
下ケース１２の側壁１２ｃには、後述する上ケース１３の開口部と嵌合する突起１２ｄが形成されている。下ケース１２は、例えばプラスチック材料を用いて射出成形により形成される。このとき、下ケース１２内を区画する仕切りや突起１２ｄが一体に形成される。下ケース１２に第１端子１１ａ〜第３端子１１ｃを取り付ける場合、下ケース１２及び第１端子１１ａ〜第３端子１１ｃをそれぞれ別々に作製して下ケース１２に第１端子１１ａ〜第３端子１１ｃを取り付けても良く、第１端子１１ａ〜第３端子１１ｃを金型に設置した状態で射出成形を行って一体に作製する、いわゆるインサート成形によって作製しても良い。
【００２０】
可動切片１４は、下ケース１２のそれぞれの切片収容領域１２ａ，１２ｂに揺動可能に収容され、揺動することにより、後述する切片操作体１５により第１端子１１ａ，第３端子１１ｃと択一的に電気的に接続する。それぞれの可動切片１４は、細長い金属板で構成されており、断面略Ｍ字形状であって、その表面を切片操作体１５が摺動する操作体摺動部１４ｃと、第１端子１１ａ又は第３端子１１ｃとそれぞれ電気的に接続するフランジ部１４ａ，１４ｂとを有する。また、操作体摺動部１４ｃの切片操作体１５が摺動する面と反対側の面が第２端子１１ｂと電気的に接続する突出部１９に接触する。
【００２１】
可動切片１４の操作体摺動部１４ｃの側面には、外側に延在する突起１４ｄが形成されており、この突起１４ｄが下ケース１２の凹部（図示せず）と係合することにより、それぞれの可動切片１４が下ケース１２の切片収容領域１２ａ，１２ｂに位置決めされるようになっている。可動切片１４は、下ケース１２の切片収容領域１２ａ，１２ｂに収容できるような大きさを有しており、金属板をプレス加工や曲げ加工することにより作製することができる。
【００２２】
このような構成の可動切片１４は、フランジ部１４ａ，１４ｂが第１端子１１ａの接点１７及び第３端子１１ｃの接点１８とそれぞれ対向するようにして下ケース１２の切片収容領域１２ａ，１２ｂにそれぞれ載置される。その状態で可動切片１４の操作体摺動部１４ｃに切片操作体１５が摺動することにより、可動切片１４は、突出部１９を支点としてシーソーのように揺動することが可能であり、第１端子１１ａの接点１７と可動切片１４のフランジ部１４ａとが電気的に接触あるいは切断し、同時に第３端子１１ｃの接点１８と可動切片１４のフランジ部１４ｂとが電気的に切断あるいは接触する。
【００２３】
上ケース１３は、下ケース１２と着脱可能である本体部１３ｂと、可動切片１４上を摺動して可動切片１４を操作する、後述する切片操作体１５を内挿する筒状部１３ａとを有する。上ケース１３の本体部１３ｂは、下ケース１２と略同じ大きさを有しており、下ケース１２の側壁１２ｃに形成された突起１２ｄに対応する位置に開口部１３ｃを有する。したがって、上ケース１３の開口部１３ｃに下ケース１２の突起１２ｄが嵌合することにより下ケース１２に上ケース１３が取り付けられる。また、開口部１３ｃから突起１２ｄを外すことにより下ケース１２から上ケース１３を取り外すことができる。なお、本実施の形態においては、下ケース１２に突起１２ｄを設け、上ケース１３に開口部１３ｃを設けて下ケース１２と上ケース１３を着脱する場合について説明しているが、下ケース１２に開口部を設け、上ケース１３に突起を設けて下ケース１２と上ケース１３を着脱するようにしても良い。さらには、上記の例においては、突起１２ｄに開口部１３ｃをいわゆるスナップインで結合させることによって下ケース１２に上ケース１３を取り付け、開口部１３ｃの周囲の上ケース１３の部分を変形させて下ケース１２から上ケース１３を取り外すことができる構成について説明しているが、本発明においては、下ケース１２と上ケース１３とを溶着して分離不可の構成にしても良い。
【００２４】
図３に示すように、上ケース１３の筒状部１３ａは、その上端部が開口しており、切片操作体１５を回動可能に軸支する。すなわち、筒状部１３ａは、互いに対向する一対の第１壁（切片操作体１５を軸支する壁）２１と、この第１壁２１と連接し、互いに対向する一対の第２壁（切片操作体１５を軸支しない壁）２２とを有する。第１壁２１の略中央の上端部２１ａは、第２壁２２の上端部２２ａよりも上方に位置しており、切片操作体１５を回動可能に軸支する穴部２１ｂが形成されている。したがって、切片操作体１５を軸支する回動中心Ｘの位置（穴部２１ｂの位置）が第２壁２２の上端部２２ａよりも上方である。なお、上ケース１３は、例えばプラスチック材料を用いて射出成形により形成される。
【００２５】
切片操作体１５は、図３に示すように、上ケース１３の筒状部１３ａの開口内に挿入された状態で筒状部１３ａの第１壁２１の穴部２１ｂに回動可能に取り付けられている。したがって、切片操作体１５は、回動中心Ｘを中心として矢印方向に揺動可能になっている。切片操作体１５は、図２に示すように、両方の端部が開口しており、内部で仕切り（図示せず）を有する筒状の操作体本体１５ａと、操作体本体１５ａの下側の端部の開口部内に弾性部材（ここではばね１５ｃ）を介して取り付けられた押圧部材１５ｂとを有する。操作体本体１５ａに弾性部材を介して押圧部材１５ｂを取り付けることにより、押圧部材１５ｂを可動切片１４に弾性接触させることができ、可動切片１４の揺動をスムーズに行うことができる。操作体本体１５ａの側壁には、突起１５ｄが形成されており、この突起１５ｄが上ケース１３の筒状部１３ａの穴部２１ｂに嵌合することにより切片操作体１５が上ケース１３に取り付けられる。
【００２６】
また、操作体本体１５ａは、それぞれの第２壁２２側に延在する突出部１５ｅを有する。この突出部１５ｅは、回動中心Ｘを中心とする略円弧状の形状を有する。さらに、この突出部１５ｅは、第２壁２２の上端部２２ａと回動中心Ｘとの間に位置する。すなわち、この突出部１５ｅは、円柱形状であり、回動中心Ｘを中心とする同心円における下向きの円弧を形成するように延在している。なお、操作体本体１５ａは、上ケース１３の筒状部１３ａに内挿できるような大きさで作製され、突出部１５ｅは、この開口よりも大きく形成される。また、押圧部材１５ｂは、操作体本体１５ａの開口内に挿入できる大きさで作製される。また、操作体本体１５ａ及び押圧部材１５ｂは、それぞれ例えばプラスチック材料を用いて射出成形により形成される。
【００２７】
上ケース１３の筒状部１３ａの第２壁２２の端部２２ａは、操作体本体１５ａの突出部１５ｅの曲率半径と略同じ曲率半径を有する湾曲面を有することが好ましい。すなわち、第２壁２２の端部２２ａにおいて、操作体本体１５ａの突出部１５ｅと対向する位置に湾曲面を有することが好ましい。このような構成にすることにより、第２壁２２の端部２２ａと操作体本体１５ａの突出部１５ｅとの間のクリアランスを小さく設定することができ、その小さなクリアランスの領域を長くすることができ、それにより、筒状部１３ａ内部へのごみなどの異物の侵入をより効果的に防止することができる。
【００２８】
このような切片操作体１５の押圧部材１５ｂの先端１５ｆが可動切片１４の操作体摺動部１４ａの表面を摺動することにより第１端子１１ａ、第３端子１１ｃと可動切片１４のフランジ部１４ａ，１４ｂとをそれぞれ択一的に電気的に接続あるいは切断させる。すなわち、図１において、矢印Ａ方向に切片操作体１５を傾倒させることにより、第１端子１１ａの接点１７と可動切片１４のフランジ部１４ａとが電気的に接続し、接点１８とフランジ部１４ｂとが電気的に遮断する。矢印Ｂ方向に切片操作体１５を傾倒させることにより、第３端子１１ｃの接点１８と可動切片１４のフランジ部１４ｂとが電気的に接続し、接点１７とフランジ部１４ａとが電気的に遮断する。
【００２９】
なお、本実施の形態においては、切片操作体１５に突起１５ｄを設け、上ケース１３に穴部２１ｂを設けて切片操作体１５と上ケース１３を着脱する場合について説明しているが、切片操作体１５に穴部を設け、上ケース１３に突起を設けて切片操作体１５と上ケース１３を着脱するようにしても良い。
【００３０】
操作つまみ１６は、切片操作体１５の操作体本体１５ａの上側の開口部に取り付けられている。すなわち、操作つまみ１６の内側には、操作体本体１５ａの上側の開口部１５ｇに嵌合可能な大きさの突出部（図示せず）が形成されており、その突出部が開口部１５ｇに嵌合することにより、切片操作体１５に操作つまみ１６が取り付けられる。これにより操作つまみ１６が切片操作体１５に固定され、操作つまみ１６を操作することにより、切片操作体１５が傾倒できるようになっている。
【００３１】
このようなスイッチ装置は、第１端子１１ａ〜第３端子１１ｃを取り付けた下ケースの切片収容領域１２ａ，１２ｂに、フランジ部１４ａ，１４ｂ及び操作体摺動部１４ｃを形成した可動切片１４を載置し、上ケース１３の筒状部１３ａに切片操作部１５を取り付けた状態で、下ケース１２に上ケース１３を取り付け、切片操作部１５に操作つまみ１６を取り付けることにより組み立てることができる。そして、図１に示すように、このスイッチ装置は、配線基板２４に取り付けられる。本実施の形態におけるスイッチ装置は、パワーウィンドウ用のスイッチとして用いられるので、実際に、車両に取り付けられた際には、図１の下方が地面となるようにして取り付けられる。
【００３２】
次に、上記構成を有するスイッチ装置の動作について説明する。図１及び図４は、本発明の実施の形態に係るスイッチ装置の動作を説明するための図である。まず、操作つまみ１６を動かさないと、操作つまみ１６と結合している切片操作体１５は中立位置にあり、切片操作体１５の先端１５ｆが操作体摺動部１４ｃの谷部に位置し、フランジ部１４ａが接点１７と接触しない。本実施の形態においては、固定接点１７，１８、突出部１９は、電気的に独立しており、端子１１ｂがモータに接続され、端子１１ａが電源に接続され、端子１１ｃが接地点接続されている。このため、本スイッチ装置では、このような状態においてモータは回転しない。なお、切片収納領域１２ｂに収納されている操作体摺動部１４ｃも同様の状態となる。
【００３３】
図４に示すように、操作つまみ１６を矢印Ａ方向に動かすと、操作つまみ１６と結合している切片操作体１５は回動中心Ｘを中心として傾倒する。このとき、切片操作体１５の先端１５ｆは矢印Ａ方向と反対方向に揺動する。すなわち、切片操作体１５の先端１５ｆは、可動切片１４の操作体摺動部１４ｃを摺動する。また、操作体摺動部１４ｃは、切片操作体１５の先端１５ｆと接触する面と反対側の面で突出部１９と接触しているので、この突出部１９を支点として可動切片１４がシーソーのように揺動してフランジ部１４ａが下降して第１端子１１ａに設けられた接点１７と接触する。これにより、可動切片１４が第１端子１１ａと電気的に接続してモータが例えば正転する。なお、この際、切片収納領域１２ｂに収納されている操作体摺動部１４ｃは、先端１５ｆが切片収納領域１２ａと反対に第３端子１１ｃ側に移動することになるので、図１の状態から接点の切り換えは行われない。同様にして、操作つまみ１６を図１の矢印Ｂ方向に動かすと、操作つまみ１６と結合している切片操作体１５が回動中心Ｘを中心として傾倒し、切片操作体１５の先端１５ｆは矢印Ｂ方向と反対方向に揺動する。そして、操作つまみ１６を矢印Ａ方向に傾けた際と同様の動作を行って今度は切片収納領域１２ｂの操作体摺動部１４ｃは第１端子１１ａと接触して、モータが反転する。なお、本実施の形態においては、切片収納領域１２ａ側の端子１１ａが端子１１ｂと接触するとモータを正転させ、切片収納領域１２ｂ側の端子１１ａが端子１１ｂと接触するとモータを反転させるように結線されているがその逆であっても良い。また、モータ制御に関しては公知技術であるので、その詳細な説明は省略する。
【００３４】
本実施の形態に係るスイッチ装置においては、切片操作体１５を軸支する回動中心Ｘの位置（穴部２１ｂの位置）が第２壁２２の上端部２２ａよりも上方であり、操作体本体１５ａは、回動中心Ｘを中心とする略円弧状の形状を有する突出部１５ｅを有する。この突出部１５ｅは、回動中心Ｘの同心円の円弧を有するので、筒状部１３ａの第２壁２２に衝突することがなく、切片操作体１５の傾倒をスムーズに行うことができる。しかも、回動中心Ｘの同心円の円弧を有することにより、突出部１５ｅと第２壁２２の上端部２２ａとの間隔が一定となるので、中立位置、傾倒位置のいずれにおいても同様にごみなどの異物の侵入を防止することができる。また、切片操作体１５を軸支する回動中心の位置を、第２壁２２の上端部２２ａよりも上方に位置させて、突出部１５ｅが上端部２２ａよりも外側に延在するように設けられているので、筒状部１３ａの開口よりも大きな外径で突出部１５ｅを形成することが可能となり、第２壁２２の内壁と切片操作体１５との間の隙間の上方を、略円弧状の突出部１５ｅで覆うことができ、それにより筒状部１３ａ内への異物の侵入を確実に防止することができる。なお、操作つまみ１６を取り付けられる前の作業途中や操作つまみ１６が実装された状態においては、筒状部１３ａの開口は上を向くことが多いため、本発明の構成により上側からの異物の侵入を防ぐことは、スイッチ装置内部への異物の侵入を防ぐことに繋がる。また、スイッチ装置内部に侵入する可能性のある隙間に繋がる外部の空間を減少させることができるので、この意味でもスイッチ装置内部への異物の侵入を防止することができる。また、本発明の構成においては、突出部１５ｅは、上端部２２ａよりも上方に位置するので、組み立ても簡単に行うことができる。
【００３５】
なお、本実施の形態においては、切片収納領域１２ａ，１２ｂにそれぞれ可動切片１４、接点１７，１８、突出部１９を設けた場合について説明しているが、切片収納領域の一方を省略しても良く、さらには、接点１７，１８の一方を省略しても良い。また、本実施の形態においては、可動切片１４は揺動して接点１７と接触するようにしているが、切片操作体１５の揺動に伴って可動切片１４がスライドして接点と接触及び離間するような構成にしても良い。また、本実施の形態においては、接点１７，１８を下ケース１２に収容する場合について説明しているが、本発明においては、下ケース１２と上ケース１３で構成される空間内に可動切片、接点などが配置されていても良い。また、本実施の形態においては、略Ｍ字形状の可動切片を用いた場合について説明しているが、本発明においては板状体の可動切片を用いても良い。
【００３６】
本発明は上記実施の形態に限定されず、種々変更して実施することが可能である。上記実施の形態においては、車載用パワーウィンドウのモータ駆動用のスイッチ装置の場合について説明しているが、本発明は、車載用パワーウィンドウ以外、例えば車載用アンテナ昇降装置などのモータ駆動用のスイッチ装置に同様に適用することが可能である。また、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【図面の簡単な説明】
【００３７】
【図１】本発明の実施の形態に係るスイッチ装置の構成を示す正面図である。
【図２】図１に示すスイッチ装置の分解斜視図である。
【図３】図１に示すスイッチ装置の一部を示す拡大図である。
【図４】本発明の実施の形態に係るスイッチ装置の動作を説明するための図である。
【図５】従来のスイッチ装置の構成を示す正面図である。
【符号の説明】
【００３８】
１１ａ〜１１ｃ  第１端子〜第３端子
１２  下ケース（第２ケース部材）
１２ａ，１２ｂ  切片収容領域
１２ｃ  側壁
１２ｄ，１４ｄ，１５ｄ  突起
１３  上ケース（第１ケース部材）
１３ａ  筒状部
１３ｂ  本体部
１３ｃ，１５ｇ  開口部
１４  可動切片
１４ａ，１４ｂ  フランジ部
１４ｃ  操作体摺動部
１５  切片操作体（切片操作部材）
１５ａ  操作体本体
１５ｂ  押圧部材
１５ｃ  ばね
１５ｅ，１９  突出部
１５ｆ  先端
１６  操作つまみ
１７，１８  接点（固定接点）
２１  第１壁
２１ａ，２２ａ  上端部
２１ｂ  穴部
２２  第２壁
２３  隙間
２４  配線基板
【図１】
2006202651.tif 000003
【図２】
2006202651.tif 000004
【図３】
2006202651.tif 000005
【図４】
2006202651.tif 000006
【図５】
2006202651.tif 000007